(57)【要約】【課題】シングルキャリア伝送を行う際に、コンテンションフリー送信を行う移動局とコンテンションベース送信を行う移動局に対して無線リソースを効率的に割り当てることを図る。【解決手段】シングルキャリア伝送に使用できる周波数リソースのうち、連続した周波数リソースの一部を端から順にコンテンションベース送信に割り当てるコンテンションベース対象割当部１２と、コンテンションフリー送信に周波数リソースを割り当てるコンテンションフリー対象割当部１１と、を備え、コンテンションフリー対象割当部１１は、コンテンションベース送信に割り当てられた周波数リソースを除いた残りの周波数リソースの中からコンテンションフリー送信に割り当てる。【選択図】図２
2013179417.tif 000002
【特許請求の範囲】
【請求項１】
コンテンションベース送信を行う移動局と、コンテンションフリー送信を行う移動局とが同時に基地局に対してシングルキャリア伝送する無線通信システムにおける無線リソース割当装置であって、
シングルキャリア伝送に使用できる周波数リソースのうち、連続した周波数リソースの一部を端から順にコンテンションベース送信に割り当てる第１の割当部と、
コンテンションフリー送信に周波数リソースを割り当てる第２の割当部と、を備え、
前記第２の割当部は、コンテンションベース送信に割り当てられた周波数リソースを除いた残りの周波数リソースの中からコンテンションフリー送信に割り当てる、
ことを特徴とする無線リソース割当装置。
【請求項２】
前記第１の割当部は、シングルキャリア伝送に使用できる周波数リソースのうち、端の周波数帯域からコンテンションベース送信に割り当てていくことを特徴とする請求項１に記載の無線リソース割当装置。
【請求項３】
前記第１の割当部は、コンテンションフリー送信を行う移動局の無線リソース使用度に応じて、コンテンションベース送信に割り当てる周波数リソース量を変えることを特徴とする請求項１又は２に記載の無線リソース割当装置。
【請求項４】
前記第１の割当部および第２の割当部を制御する制御部を備え、
前記第２の割当部は、シングルキャリア伝送に使用できる全周波数リソースを対象にして、コンテンションフリー送信を行う移動局に対する周波数リソースの第１段階の割り当てを行い、
前記制御部は、前記第１段階の割り当て結果において未割当となった「周波数軸上で連続する周波数リソース」の中で最大の周波数帯域のものが、
コンテンションベース送信に十分である場合には、当該周波数軸上で連続する周波数リソースをコンテンションベース送信に割り当てるようにし、
コンテンションベース送信に不十分である場合には、前記第１の割当部に前記コンテンションベース送信に対する割り当てを行わせると共に、前記第２の割当部に前記第１の割当部の割当結果を基にした前記コンテンションフリー送信に対する割り当てを行わせる、
ことを特徴とする請求項１から３のいずれか１項に記載の無線リソース割当装置。
【請求項５】
前記第１の割当部は、隣接するセクタ間で排他的に周波数リソースを割り当てることを特徴とする請求項１から４のいずれか１項に記載の無線リソース割当装置。
【請求項６】
前記第１の割当部は、隣接するセクタ間で同じ周波数リソースを割り当てることを特徴とする請求項１から４のいずれか１項に記載の無線リソース割当装置。
【請求項７】
前記第１の割当部は、前記割り当てのタイミングを複数サブフレームに１回とすることを特徴とする請求項１から６のいずれか１項に記載の無線リソース割当装置。
【請求項８】
コンテンションベース送信を行う移動局と、コンテンションフリー送信を行う移動局とが同時に基地局に対してシングルキャリア伝送する無線通信システムにおける無線リソース割当方法であって、
シングルキャリア伝送に使用できる周波数リソースのうち、連続した周波数リソースの一部を端から順にコンテンションベース送信に割り当てる第１の割当ステップと、
コンテンションフリー送信に周波数リソースを割り当てる第２の割当ステップと、を有し、
前記第２の割当ステップにおいて、コンテンションベース送信に割り当てられた周波数リソースを除いた残りの周波数リソースの中からコンテンションフリー送信に割り当てる、
ことを特徴とする無線リソース割当方法。
【請求項９】
コンテンションベース送信を行う移動局と、コンテンションフリー送信を行う移動局とが同時に基地局に対してシングルキャリア伝送する無線通信システムにおける無線リソース割当処理を行うためのコンピュータプログラムであって、
シングルキャリア伝送に使用できる周波数リソースのうち、連続した周波数リソースの一部を端から順にコンテンションベース送信に割り当てる第１の割当ステップと、
コンテンションフリー送信に周波数リソースを割り当てる第２の割当ステップと、をコンピュータに実行させるためのコンピュータプログラムであり、
前記第２の割当ステップにおいて、コンテンションベース送信に割り当てられた周波数リソースを除いた残りの周波数リソースの中からコンテンションフリー送信に割り当てる、
ことを特徴とするコンピュータプログラム。
【発明の詳細な説明】
【技術分野】
【０００１】
本発明は、無線リソース割当装置、無線リソース割当方法およびコンピュータプログラムに関する。
【背景技術】
【０００２】
従来、3GPP（Third Generation Partnership Project）で検討されている標準規格の一つとして「LTE（Long Term Evolution）」が知られている。LTEでは、上りリンク（移動局から基地局の方向）通信方式として、シングルキャリア伝送であるSC-FDMA（Single-Carrier Frequency Division Multiple Access）が用いられる。SC-FDMAは、シングルキャリア伝送であるため電力利用効率が高く、上りリンクの送信に適している。さらに、同一セル内の移動局に割り当てる無線リソースを周波数方向にスケジューリングすることにより、スケジューリングゲインを得ることが可能である。
【０００３】
LTEでは、基地局が、上りリンクでも、下りリンク（基地局から移動局の方向）でも、各移動局が使用する無線リソースをスケジューリングする。例えば、上りリンクのスケジューリングでは、まず移動局が基地局に対してスケジューリング要求（SR：Scheduling Request）を送信する。基地局は上りリンクの伝送路推定を行った後、その結果としてスケジューリンググラントを下りリンク制御チャネルを用いて移動局に通知する。スケジューリンググラントには、送信モード、移動局に割り当てた無線リソースであるリソースブロック（RB：Resource Block）、及びMCS（Modulation and Coding Scheme）などの情報が含まれる。このように、基地局が移動局に対する無線リソースを集中管理するため、同一セルに属する端末間の電波干渉が生じず、安定した通信を行うことができる。各移動局が使用する無線リソース（RB）が重複しないようにスケジューリングしてから、移動局が無線送信する送信方法はコンテンションフリー送信と呼ばれる。
【０００４】
又、3GPPでは、LTEの発展形であるLTE-Advancedが検討されている。LTE-Advancedでは、コンテンションベースの上りリンク送信が提案されている（例えば非特許文献１参照）。コンテンションベース送信では、移動局が使用する無線リソースのスケジューリングが行われない。このため、コンテンションベース送信によれば、スケジューリングにかかる送信遅延時間の低減や、スケジューリング結果を下り制御チャネルで各移動局に個別に送信しなくてすむことによるオーバーヘッドの削減が期待できる。但し、コンテンションベース送信では、複数の移動局が同一の無線リソース（RB）を使用することによりパケットの衝突が発生して受信成功率が低下する事象が起こり得る。パケットの衝突が発生する場合には、インタリーブ分割多元接続方式（IDMA：Interleave Division Multiple Access）などのユーザ間の電波干渉に対して耐性のある通信方式を使用することによって、ユーザ間の電波干渉の影響を低減することができる。
【０００５】
非特許文献１に記載される従来技術では、LTE-Advancedの無線通信システムにおいて、移動局が使用する無線リソースをスケジューリングするコンテンションフリー送信を行う移動局と、コンテンションベース送信を行う移動局とが同一セル内に混在する場合に、コンテンションフリー送信を行う移動局が使用していないRBをコンテンションベース送信に用いている。コンテンションフリー送信で未使用のRBをコンテンションベース送信に割り当てることにより、コンテンションフリー送信を行う移動局のスケジューリングゲインを減少することなく、コンテンションベース送信を行うことができる。
【先行技術文献】
【非特許文献】
【０００６】
【非特許文献１】“Contention based uplink transmissions”, 3GPP TSG RAN WG2 meeting #66bis, R2-093812.
【発明の概要】
【発明が解決しようとする課題】
【０００７】
しかし、上述した非特許文献１に記載される従来技術では、シングルキャリア伝送に対して不都合がある。シングルキャリア伝送では連続したRBを用いて信号を送信する必要があるが、コンテンションフリー送信で未使用であるRBが断片化していると、コンテンションベース送信を行う移動局に対して連続したRBの必要数を確保できない恐れがある。
【０００８】
本発明は、このような事情を考慮してなされたもので、シングルキャリア伝送を行う際に、コンテンションフリー送信を行う移動局とコンテンションベース送信を行う移動局に対して無線リソースを効率的に割り当てることができる、無線リソース割当装置、無線リソース割当方法およびコンピュータプログラムを提供することを課題とする。
【課題を解決するための手段】
【０００９】
上記の課題を解決するために、本発明に係る無線リソース割当装置は、コンテンションベース送信を行う移動局と、コンテンションフリー送信を行う移動局とが同時に基地局に対してシングルキャリア伝送する無線通信システムにおける無線リソース割当装置であって、シングルキャリア伝送に使用できる周波数リソースのうち、連続した周波数リソースの一部を端から順にコンテンションベース送信に割り当てる第１の割当部と、コンテンションフリー送信に周波数リソースを割り当てる第２の割当部と、を備え、前記第２の割当部は、コンテンションベース送信に割り当てられた周波数リソースを除いた残りの周波数リソースの中からコンテンションフリー送信に割り当てる、ことを特徴とする。
【００１０】
本発明に係る無線リソース割当装置において、前記第１の割当部は、シングルキャリア伝送に使用できる周波数リソースのうち、端の周波数帯域からコンテンションベース送信に割り当てていくことを特徴とする。
【００１１】
本発明に係る無線リソース割当装置において、前記第１の割当部は、コンテンションフリー送信を行う移動局の無線リソース使用度に応じて、コンテンションベース送信に割り当てる周波数リソース量を変えることを特徴とする。
【００１２】
本発明に係る無線リソース割当装置において、前記第１の割当部および第２の割当部を制御する制御部を備え、前記第２の割当部は、シングルキャリア伝送に使用できる全周波数リソースを対象にして、コンテンションフリー送信を行う移動局に対する周波数リソースの第１段階の割り当てを行い、前記制御部は、前記第１段階の割り当て結果において未割当となった「周波数軸上で連続する周波数リソース」の中で最大の周波数帯域のものが、コンテンションベース送信に十分である場合には、当該周波数軸上で連続する周波数リソースをコンテンションベース送信に割り当てるようにし、コンテンションベース送信に不十分である場合には、前記第１の割当部に前記コンテンションベース送信に対する割り当てを行わせると共に、前記第２の割当部に前記第１の割当部の割当結果を基にした前記コンテンションフリー送信に対する割り当てを行わせる、ことを特徴とする。
【００１３】
本発明に係る無線リソース割当装置において、前記第１の割当部は、隣接するセクタ間で排他的に周波数リソースを割り当てることを特徴とする。
【００１４】
本発明に係る無線リソース割当装置において、前記第１の割当部は、隣接するセクタ間で同じ周波数リソースを割り当てることを特徴とする。
【００１５】
本発明に係る無線リソース割当装置において、前記第１の割当部は、前記割り当てのタイミングを複数サブフレームに１回とすることを特徴とする。
【００１６】
本発明に係る無線リソース割当方法は、コンテンションベース送信を行う移動局と、コンテンションフリー送信を行う移動局とが同時に基地局に対してシングルキャリア伝送する無線通信システムにおける無線リソース割当方法であって、シングルキャリア伝送に使用できる周波数リソースのうち、連続した周波数リソースの一部を端から順にコンテンションベース送信に割り当てる第１の割当ステップと、コンテンションフリー送信に周波数リソースを割り当てる第２の割当ステップと、を有し、前記第２の割当ステップにおいて、コンテンションベース送信に割り当てられた周波数リソースを除いた残りの周波数リソースの中からコンテンションフリー送信に割り当てる、ことを特徴とする。
【００１７】
本発明に係るコンピュータプログラムは、コンテンションベース送信を行う移動局と、コンテンションフリー送信を行う移動局とが同時に基地局に対してシングルキャリア伝送する無線通信システムにおける無線リソース割当処理を行うためのコンピュータプログラムであって、シングルキャリア伝送に使用できる周波数リソースのうち、連続した周波数リソースの一部を端から順にコンテンションベース送信に割り当てる第１の割当ステップと、コンテンションフリー送信に周波数リソースを割り当てる第２の割当ステップと、をコンピュータに実行させるためのコンピュータプログラムであり、前記第２の割当ステップにおいて、コンテンションベース送信に割り当てられた周波数リソースを除いた残りの周波数リソースの中からコンテンションフリー送信に割り当てる、ことを特徴とする。
これにより、前述の無線リソース割当装置がコンピュータを利用して実現できるようになる。
【発明の効果】
【００１８】
本発明によれば、シングルキャリア伝送を行う際に、コンテンションフリー送信を行う移動局とコンテンションベース送信を行う移動局に対して無線リソースを効率的に割り当てることができるという効果が得られる。
【図面の簡単な説明】
【００１９】
【図１】本発明の一実施形態に係る無線通信システムの概略構成図である。
【図２】本発明の一実施形態に係る無線リソース割当装置１０の構成図である。
【図３】本発明の一実施形態に係る無線リソース割当方法の実施例１を説明するための概念図である。
【図４】本発明の一実施形態に係る無線リソース割当方法の実施例２を説明するための概念図である。
【発明を実施するための形態】
【００２０】
以下、図面を参照し、本発明の実施形態について説明する。
図１は、本発明の一実施形態に係る無線通信システムの概略構成図である。図１において、無線通信システムは、基地局１と移動局２ａ，２ｂ，２ｃ，２ｄを有する。この無線通信システムにおいて、上りリンクではシングルキャリア伝送を行う。又、コンテンションフリー送信を行う移動局と、コンテンションベース送信を行う移動局とが、基地局１のセル１００内に混在することができる。
【００２１】
ここでは、説明の便宜上、移動局２ａ，２ｂはコンテンションフリー送信を行い、移動局２ｃ，２ｄはコンテンションベース送信を行うとする。コンテンションフリー送信を行う移動局２ａ，２ｂは、LTEに準拠しており、上りリンク通信方式にはSC-FDMAを用いる。一方、コンテンションベース送信を行う移動局２ｃ，２ｄは、上りリンク通信方式にはIDMAを用いる。以下、コンテンションフリー送信を行う移動局のことをLTE端末と称し、コンテンションベース送信を行う移動局のことをIDMA端末と称する。
【００２２】
基地局１は、各移動局２ａ，２ｂ，２ｃ，２ｄのカテゴリー情報から、自局１配下に、LTE端末２ａ，２ｂおよびIDMA端末２ｃ，２ｄが存在することを検出する。
【００２３】
図２は、本実施形態に係る無線リソース割当装置１０の構成図である。無線リソース割当装置１０は、基地局１に具備される。図２において、無線リソース割当装置１０は、コンテンションフリー対象割当部１１とコンテンションベース対象割当部１２と制御部１３を有する。コンテンションフリー対象割当部１１は、LTE端末に対する無線リソースの割り当てを行う。コンテンションベース対象割当部１２は、IDMA端末に対する無線リソースの割り当てを行う。制御部１３は、コンテンションフリー対象割当部１１およびコンテンションベース対象割当部１２に対する制御を行う。
【００２４】
以下、各実施例を挙げて本実施形態に係る無線リソース割当装置１０が行う無線リソース割当方法を説明する。
【実施例１】
【００２５】
図３は、本実施形態に係る無線リソース割当方法の実施例１を説明するための概念図である。図３には、図１の無線通信システムにおける上りリンクの無線リソースの構成例が示されている。図３において、無線リソースは、一定の周波数リソースと一定の時間リソースを有するRBから構成される。全RB数Nはシステム帯域幅によって決まる。
【００２６】
図３の構成例では、システム帯域幅の全周波数帯域のうち両端の一定の周波数帯域に該当するRBは、上りリンク制御チャネル（PUCCH）に使用される。PUCCHに使用されるRBの個数は、全周波数帯域の片端に「NPUCCH÷2」個で、両端で合計NPUCCH個である。従って、上りリンク共通チャネルに使用できるRBの個数は、「N−NPUCCH」である。
【００２７】
本実施例１では、上りリンク共通チャネルの全周波数帯域のうち端の周波数帯域から順番にNCB-PUSCH個のRBを、IDMA端末に割り当てるためのRBとして確保しておく。このIDMA端末に割当用のRBは、上りリンク共通チャネルの全周波数帯域のうち、いずれの端の周波数帯域から確保してもよい。
【００２８】
これにより、LTE端末に対しては、上りリンク共通チャネルの全周波数帯域のうち、IDMA端末に割当用のRBを除いた残りの「N−NPUCCH−NCB-PUSCH」個のRBが割り当てられる。図３には、RBの割り当ての例が示されている。図３において、IDMA端末２ｃ，２ｄに対しては、上りリンク共通チャネルの全周波数帯域（上り共通チャネル使用帯域）のうち端の周波数帯域から順番にNCB-PUSCH個のRBが割り当てられている。このNCB-PUSCH個のRBは、IDMA端末２ｃ，２ｄがスケジューリングなしで使用可能なRBである。そして、LTE端末２ａ，２ｂに対しては、上りリンク共通チャネルの全周波数帯域（上り共通チャネル使用帯域）のうち、IDMA端末に割当用のRBを除いた残りの「N−NPUCCH−NCB-PUSCH」個のRBがスケジューリングされて割り当てられる。
【００２９】
IDMA端末に割当用のNCB-PUSCH個のRBの割り当て情報は、システム情報としてブロードキャストされてもよく、又は、コンテンションベース送信用のメッセージ（例えばスケジューリンググラント）を利用してIDMA端末に通知されてもよい。
【００３０】
IDMA端末に割当用のRBの個数NCB-PUSCHは、一定であってもよく、又は、可変であってもよい。例えば、LTE端末のトラヒック量に応じて、NCB-PUSCHを変更してもよい。具体的には、LTE端末のRB使用度（全RBのうち、LTE端末に割り当てられたRBの度合い）が所定の閾値よりも低い場合にはNCB-PUSCHを増加させる。一方、LTE端末のRB使用度が閾値よりも高い場合にはNCB-PUSCHを減少させる。これにより、LTE端末のスループットを低下させることなく、IDMA端末のスループットを改善することができる。
【実施例２】
【００３１】
実施例２は、実施例１の変形例である。実施例２では、隣接するセクタ間でIDMA端末に割り当てるRBを排他的に割り当てる。図４は、本実施形態に係る無線リソース割当方法の実施例２を説明するための概念図である。図４の例では、IDMA端末２ｃはセクタＡに在り、IDMA端末２ｄはセクタＢに在り、セクタＡとセクタＢは隣接している。図４において、セクタＡのIDMA端末２ｃには上り共通チャネル使用帯域のうち一方の端の周波数帯域から順番に一定数のRBを割り当てる。そして、セクタＢのIDMA端末２ｄには上り共通チャネル使用帯域のうちもう一方の端の周波数帯域から順番に一定数のRBを割り当てる。これにより、セクタＡのIDMA端末２ｃに割り当てるRBとセクタＢのIDMA端末２ｄに割り当てるRBとは重複しない。LTE端末に対しては、上り共通チャネル使用帯域のうち、IDMA端末２ｃ，２ｄに割当用のRBを除いた残りのRBを対象に、スケジューリングして割り当てる。
【００３２】
本実施例２によれば、LTE端末が受ける電波干渉が白色雑音に近くなり、LTE端末の受信特性を改善することができる。
【実施例３】
【００３３】
実施例３は、実施例１の変形例である。実施例３では、隣接するセクタ間で同じRBをIDMA端末に割り当てる。例えば図３において、IDMA端末２ｃはセクタＡに在り、IDMA端末２ｄはセクタＢに在り、セクタＡとセクタＢは隣接している。それらIDMA端末２ｃ，２ｄに対して、上り共通チャネル使用帯域のうち端の周波数帯域から順番に一定数のRBを割り当てる。これにより、セクタＡのIDMA端末２ｃに割り当てるRBとセクタＢのIDMA端末２ｄに割り当てるRBとは同じになる。LTE端末に対しては、上り共通チャネル使用帯域のうち、IDMA端末２ｃ，２ｄに割当用のRBを除いた残りのRBを対象に、スケジューリングして割り当てる。
【００３４】
本実施例３によれば、IDMA端末では、IDMA端末からの干渉のみになるため、他セクタからの干渉を除去でき、IDMA端末の受信特性を改善することができる。
【実施例４】
【００３５】
実施例４では、まず、上り共通チャネル使用帯域を対象にしてLTE端末に対するスケジューリングを行う。このスケジューリングの結果、上り共通チャネル使用帯域で未割当となったRBであって周波数軸上で連続する複数のRBから成るRB群のうち、RB数が最大であるRB群（未割当最大RB群）のRB数N'を調べる。
【００３６】
次いで、IDMA端末が送信に必要とするRB数NREQとRB数N'を比較する。この比較の結果、「N’≧ NREQ」である場合には、未割当最大RB群をIDMA端末に割り当てる。
【００３７】
一方、上記比較の結果、「N’＜ NREQ」である場合には、上記した実施例１、２又は３の無線リソース割当方法を行う。つまり、上り共通チャネル使用帯域のうち端の周波数帯域から順番にNCB-PUSCH個のRBを、IDMA端末に割り当てる。そして、LTE端末に対しては、上り共通チャネル使用帯域のうち、IDMA端末に割当用のRBを除いた残りの「N−NPUCCH−NCB-PUSCH」個のRBを対象に、スケジューリングして割り当てる。
【実施例５】
【００３８】
実施例５では、まず、実施例１、２又は３の無線リソース割当方法により、IDMA端末に割当用の周波数軸上で連続する複数のRBから成るRB群（確保済みRB群と称する）を確保する。次いで、LTE端末に対して、上り共通チャネル使用帯域のうち、IDMA端末に割当用のRBを除いた残りのRBを対象に、スケジューリングして割り当てる。次いで、IDMA端末に対しては、確保済みRB群と、LTE端末に割当用のRBのうちスケジューリングの結果として未割当となったRBであって周波数軸上で連続する複数のRBから成るRB群（未割当RB群と称する）とを割り当てる。
【００３９】
IDMA端末は、割り当てられたRB群の中から、いずれか１つのRB群を用いて上りリンク送信を行う。このRB群の選択方法としては、例えば、トラヒックが大きく所要RB数が多いIDMA端末は確保済みRB群を使用し、トラヒックが小さく所要RB数が少ないIDMA端末は未割当RB群を使用する。
【実施例６】
【００４０】
実施例６は、実施例１〜５の変形例である。実施例６では、IDMA端末にRBを割り当てるタイミングを、Nサブフレームに１回とする。但し、Nは２以上の整数である。つまり、IDMA端末に対しては、RBを、毎サブフレーム割り当てるのではなく、Nサブフレームに１回だけ割り当てる。例えば、１０サブフレーム当り１０RBを割り当てる場合に、毎サブフレームに１RBずつ割り当てるのではなく、例えば２サブフレーム毎に１回だけ２RBを割り当てる。これにより、１サブフレーム内に割り当てられるRB数を増やすことができ、IDMA端末の送信特性を改善する効果が期待できる。本実施例６は、送信遅延が許容される場合に効果的である。
【００４１】
なお、マクロ局とピコ局が存在する環境で適用されるABS（Almost Blank Subframe）にIDMA端末を適用することも可能である。IDMA端末は信号のスペクトル密度が低いため、ピコ局の端末に与える電波干渉を低く抑えられる。
【実施例７】
【００４２】
実施例７は、実施例１〜６の変形例である。実施例７では、IDMA端末が使用することができる「周波数軸上で連続する複数のRBから成るRB群」が複数存在する場合に、複数のRB群をホッピングして使用させる。例えば、時間スロット単位で、周波数軸上で離れたRB群をホッピングして使用させる。これにより、周波数ダイバーシチゲインにより、パケット誤り率を低下させることができる。又は、サブフレーム単位で、周波数軸上で離れたRB群をホッピングして使用させる。これにより、再送パケット間のダイバーシチゲインを得ることができ、再送回数を低減することができる。
【００４３】
以上、本発明の実施形態について図面を参照して詳述してきたが、具体的な構成はこの実施形態に限られるものではなく、本発明の要旨を逸脱しない範囲の設計変更等も含まれる。
また、図２に示す無線リソース割当装置１０の機能を実現するためのプログラムをコンピュータ読み取り可能な記録媒体に記録して、この記録媒体に記録されたプログラムをコンピュータシステムに読み込ませ、実行することにより、無線リソース割当処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００４４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４５】
１…基地局、２ａ，２ｂ，２ｃ，２ｄ…移動局、１０…無線リソース割当装置、１１…コンテンションフリー対象割当部（第２の割当部）、１２…コンテンションベース対象割当部（第１の割当部）、１３…制御部
【図１】
2013179417.tif 000003
【図２】
2013179417.tif 000004
【図３】
2013179417.tif 000005
【図４】
2013179417.tif 000006